(57)【要約】      （修正有）【課題】立体商品見本とシート状商品見本を展示することができ、取り扱いが簡単で、またその展示を見栄え良くする自動販売機の商品見本展示装置を提供する。【解決手段】販売商品の立体商品見本と、販売商品の絵柄が表示されたシート状商品見本１５ｂとを展示する自動販売機の商品見本展示装置３０であって、シート状商品見本１５ｂを保持するシート状見本保持具４１と、前部に立体商品見本を載置する立体見本載置部３３を設け、その後方にシート状見本保持具４１を装着する保持具装着部３５を設けた商品展示棚３１とを備え、シート状見本保持具４１は保持具装着部３５に前後方向に出退自在に装着され、前方の突出位置においてシート状商品見本１５ｂを立体見本載置部３３に載置される立体商品見本の前面部と略同位置に保持して展示し、後方の退避位置において、立体商品見本１５ａを立体見本載置部３３に展示可能とする。【選択図】図３
2007213244.tif 000002
【特許請求の範囲】
【請求項１】
販売商品の立体商品見本と、販売商品の絵柄が表示されたシート状商品見本とを展示する自動販売機の商品見本展示装置であって、
前記シート状商品見本を保持するシート状見本保持具と、前部に前記立体商品見本を載置する立体見本載置部を設け、その後方に前記シート状見本保持具を装着する保持具装着部を設けた商品展示棚とを備え、
前記シート状見本保持具は前記保持具装着部に前後方向に出退自在に装着され、前方の突出位置において前記シート状商品見本を前記立体見本載置部に載置される前記立体商品見本の前面部と略同位置に保持して展示し、後方の退避位置において、前記立体商品見本を前記立体見本載置部に展示可能とすることを特徴とする自動販売機の商品見本展示装置。
【請求項２】
前記シート状見本保持具は、前記シート状商品見本毎に個々に独立して設けられたことを特徴とする請求項１に記載の自動販売機の商品見本展示装置。
【請求項３】
前記シート状商品見本を保持するシート状見本保持具は、前記シート状商品見本の上部を保持するシート上部保持部を備え、前記商品展示棚の立体見本載置部は、前記シート状商品見本の下部を支持するシート下部支持部を備えたことを特徴とする請求項１または請求項２に記載の自動販売機の商品見本展示装置。
【発明の詳細な説明】
【技術分野】
【０００１】
本発明は、自動販売機において販売する商品の見本を展示する商品見本展示装置に関し、特に販売する商品の立体商品見本と、販売する商品の絵柄等が表示されるシート状商品見本とを展示可能な自動販売機の商品見本展示装置に関する。
【背景技術】
【０００２】
従来の自動販売機の商品見本展示装置として、特開２００２−２７９４９７号公報（特許文献１）に記載されたものが知られていた。この商品見本展示装置を備える自動販売機は、たばこ等のパッケージ商品を販売するもので、その商品見本展示装置の展示部には、販売する商品の外観を模して樹脂等から造形された立体商品見本が展示されていた。また、新商品の販売時などにおいて販売する商品の立体商品見本が入手できない場合は、販売商品それ自体を見本として展示していた。しかしながら、販売する商品に対応して立体商品見本を種類別に全て準備するにはその費用が掛かり、また販売する商品の実物を展示する場合は、その商品が販売されずに無駄になる問題があった。
【０００３】
そこで、このような問題を解決するため特開２００５−３３２２５４号公報（特許文献２）、あるいは特開２００５−３３２２５１号公報（特許文献３）に記載されるように、樹脂等からなるシート状の薄板片に販売する商品の絵柄を印刷等により表示した安価なシート状商品見本を、立体商品見本に変えて展示することができる商品見本展示装置が開発された。これらについて詳述すれば、特許文献２に記載される商品展示装置は、図６に示すように、透光性を有するシート状商品見本の装着用アダプタ５６を商品展示棚５１に装着するものであって、アダプタの前面５６ａが商品展示棚５１の前端面５１ａと略同一面をなして連なり、アダプタ５６の上端に設けられた係止部５６ｂと商品展示棚５１の下部に形成された受溝部５１ｂとの間に、アダプタ５１の前面に位置づけられたシート状商品見本１５ｂの上下端を挟みこんで保持するものである。また、特許文献３に記載されるものは、図７に示すように立体商品見本１５ａを展示する商品展示棚５１に対応してその前方の前扉２に設けられた商品選択操作部８の背面部材に、シート状商品見本１５ｂを保持する保持部８ａ、８ｂを設け、商品展示棚前方の前扉２を成す透明板１６の裏面側にシート状商品見本１５ｂをそれぞれ独立して展示するものである。
【特許文献１】特開２００２−２７９４９７号公報
【特許文献２】特開２００５−３３２２５４号公報
【特許文献３】特開２００２−３３２２５１号公報
【発明の開示】
【発明が解決しようとする課題】
【０００４】
ところで、このような従来の自動販売機の商品見本展示装置であって、特許文献２に記載されるものにおいては、シート状商品見本１５ｂを展示する場合はシート状商品見本の装着用アダプタ５６を商品展示棚５１に装着し、一方で立体商品見本を商品展示棚に直接に載置する場合は、そのアダプタ５６を取り外さなければならない。すなわち、シート状商品見本の装着用アダプタ５６を必要に応じて着脱し、収納保管する煩雑さがあり、取り扱いが面倒である。また、このアダプタ５６はシート状商品見本を複数一括して展示するものが一般的であり、立体商品見本とシート状商品見本を自由に混在させて展示することが困難である。
【０００５】
また、特許文献３に記載されるものにおいては、立体商品見本１５ａとシート状商品見本１５ｂを共に展示する場合に、それぞれが前扉２前面の透明板１６から奥行きの異なった位置に展示されるから、立体商品見本１５ａにより展示される販売商品とシート状商品見本１５ｂにより展示される販売商品との間に違和感が生じ、見栄えが良くない問題がある。
【０００６】
本発明は、このような問題を解決するため、取り扱いが簡単で、立体商品見本とシート状商品見本を自在に組み合わせて展示することができ、またその展示を見栄え良くすることができる自動販売機の商品見本展示装置を提供することを目的とするものである。
【課題を解決するための手段】
【０００７】
上記課題を解決するため、請求項１に係る発明は、販売商品の立体商品見本と、販売商品の絵柄が表示されたシート状商品見本とを展示する自動販売機の商品見本展示装置であって、前記シート状商品見本を保持するシート状見本保持具と、前部に前記立体商品見本を載置する立体見本載置部を設け、その後方に前記シート状見本保持具を装着する保持具装着部を設けた商品展示棚とを備え、前記シート状見本保持具は前記保持具装着部に前後方向に出退自在に装着され、前方の突出位置において前記シート状商品見本を前記立体見本載置部に載置される前記立体商品見本の前面部と略同位置に保持して展示し、後方の退避位置において、前記立体商品見本を前記立体見本載置部に展示可能とするものである。これによれば、前記シート状見本保持具を前記商品展示棚から取り外すことなく、前記シート状見本と前記立体商品見本とを、それらの前面部を揃えて容易に展示することができる。
【０００８】
請求項２に係る発明は、請求項１に記載の発明において、前記シート状見本保持具は、前記シート状商品見本毎に個々に独立して設けられたことにより、前記立体商品見本と前記シート状商品見本を自由に混在させて展示することができる。
【０００９】
請求項３にかかる発明は、請求項１または請求項２に記載の発明において、前記シート状商品見本を保持するシート状見本保持具は、前記シート状商品見本の上部を保持するシート上部保持部を備え、前記商品展示棚の立体見本載置部は、前記シート状商品見本の下部を支持するシート下部支持部を備えたものである。これによれば、前記シート状商品見本を前記シート上部保持部と前記シート下部支持部で挟むようにし、上下部の２箇所で簡素に保持して展示することができる。また、前記シート状見本保持具の構造を、シート上部保持部を備えるだけの簡単な構成にすることができる。
【発明の効果】
【００１０】
以上説明したように請求項１に係る発明によれば、シート状見本保持具を商品展示棚から取り外すことなく、シート状商品見本と立体商品見本とを、それらの前面部を揃えて容易に展示することができることができるから、その展示装置の取り扱いを簡単にし、見栄え良く商品を展示することができる。
【００１１】
また、請求項２に係る発明によれば、請求項１に記載の発明において、立体商品見本とシート状商品見本を自由に混在させて展示することができるから、その展示装置の使い勝手を良くすることができる。
【００１２】
また、請求項３に係る発明によれば、請求項１または請求項２に記載の発明において、シート状商品見本をシート上部保持部とシート下部支持部で挟むようにし、上下部の２箇所で簡素に保持して展示し、また、シート状見本保持具の構造を、シート上部保持部を備えるだけの簡単な構成にすることができるから、その取り扱いを簡単にし、商品を見栄え良く展示し、コストの安い商品見本展示装置を提供することができる。
【発明を実施するための最良の形態】
【００１３】
本発明の実施の形態について図を参照して説明する。なお、従来と同一または同様の機能を有する構成には同符号を付す。
【００１４】
図１は本発明の実施形態の商品見本展示装置を有する自動販売機を示す正面図、図２は本発明の実施形態の商品見本展示装置を有する自動販売機において前扉およびその背面の中扉を開いた状態を示す内部構造斜視図である。
【００１５】
図１、図２に示すように、この自動販売機は、販売商品を収納する商品収納コラム５を内部に備えて前面を開口した本体１と、本体１の前面開口を開閉自在に閉塞する前扉２とを備えている。また、前扉２の背面側には、その背面を覆うとともにその背面側を開放可能な中扉３が配設されている。
【００１６】
前扉２の前面には、その内部に展示される商品見本１５を透明板１６を介して目視可能に配設された展示窓7と、商品見本１５と対応して透明板１６の前面部に配設された商品選択ボタン８と、商品を購入するための金銭を投入する硬貨投入口９および紙幣挿入口１０と、釣銭等を返却する返却レバー１１と、釣銭硬貨等を返却する硬貨返却口１２と、前面扉を開閉するためのハンドルロック１３と、商品収納コラム５から搬出される販売商品を取り出すための取出口扉１４と、投入金額や販売情報を表示するための表示器１８等が設けられている。また、前扉２の裏側には、投入された金銭を識別する硬貨識別装置（コインメカニズム）２１や紙幣識別装置（ビルバリデータ）２２、投入された硬貨を貯留する硬貨金庫２３、さらに商品収納コラム５から払い出された商品が搬出される商品取出口２０が設けられている。
【００１７】
前扉２の背面側に設けられた中扉３の前面には、その前面を覆うようにディスプレイパネル２５が設けられ、そのディスプレイパネル２５には、商品見本１５を展示する商品見本展示装置３０が上下方向に複数段に並んで設けられている。また中扉３の背面側には、本体１内の商品収納コラム５と対向して同様の商品収納コラム５が備えられている。
【００１８】
図３に示すように、商品見本展示装置３０は、ディスプレイパネル１２に取り付けられる商品展示棚３１と、商品展示棚３１の後部に着脱自在に取り付けられるシート状見本支持具４１とを備えている。そして、商品展示棚３１は、棚基台部３２と、その前方に設けられ立体商品見本５ａの底部の形状に合わせて凹状に形成された立体見本保持部（立体見本載置部）３３と、立体見本保持部３３の前部に設けられた商品ラベル取付部３４を備えている。さらに立体見本保持部３３はその前部に商品保持板３３ａを設け、その後部に立体商品見本５ａを前方の商品保持板３３ａに向かって押し付ける商品押部３３ｂが形成されている。また、棚基台３２の後面には、これをディスプレイパネル２５に着脱自在に取り付ける図示しない取付具が設けられ、その上部には、シート状見本支持具（シート状見本保持具）４１を装着し、これを回動自在に支持するシート見本支持具装着部（保持具装着部）３５が設けられている。このシート見本支持具装着部３５は、１個の立体商品１５ａを展示する立体見本保持部３３に対応してそれぞれ１対の装着穴部３６を備えている。
【００１９】
図４に示すように、シート状見本支持具４１は、断面が略く字状に屈曲された板状部材からなり、その上部にはシート状商品見本１５ｂの上部を両側から挟むように保持する保持爪部（シート上部保持部）４３ａ、４３ｂ、４３ｃが、一方の側端部に２箇所、他方の側端部に１箇所それぞれ設けられている。また、シート状見本支持具４１の下部には、これを回動可能に装着穴部３６に装着する装着片部４５が左右対称に２箇所設けられている。この装着片部には、装着穴部３６に設けられた支持部３６ａ（図５参照）に回動自在に支持される装着軸部４５ａと、その装着軸部４５ａの回転半径方向に設けられて、このシート状見本支持具４１の回動位置を規制するストッパ部４５ｂが設けられている。このストッパ部４５ｂは装着穴部３６に設けられた案内部３６ｂ（図５参照）と係合して、シート状見本支持具４１を、その上部が立体商品見本保持部３３の上部に位置する突出位置と、その上部が立体商品見本保持部３３の後方に退避する退避位置とに保持するものである。また、シート状見本保持具４１の上部に備えられた保持爪部４３ａ、４３ｂ、４３ｃは、複数のシート状見本保持具４１が商品展示棚３１に左右方向に連なって装着される場合に、隣り合うシート状見本保持具４１の保持爪部４３ａ、４３ｂ、４３ｃが互いに干渉しないように、その左右の保持爪部４３ａ、４３ｂと保持爪部４３ｃが相補的に側方に突出するように配置されている。すなわち、これによりシート状商品見本１５ｂを隙間無く連続して商品展示棚３１上に展示することができる。
【００２０】
図５（ａ）、（ｂ）は、このように構成される商品見本展示装置３０において、シート状商品見本１５ｂおよび立体商品見本１５ａをそれぞれ展示する場合を示す側断面図である。先ず、シート状商品見本１５ｂを展示する場合は、図５（ａ）に示すように商品展示棚３１に装着されたシート状見本支持具４１を前方に傾けて、その上部を商品展示棚３１の立体見本保持部３３の上部に位置する突出位置に移動する。このとき、シート状見本支持具４１は、ストッパ４５ｂによりその突出位置に保持される。そして、シート状商品見本１５ｂの上部をシート状見本支持具４１の上部に設けられた保持爪部４３ａ、４３ｂ、４３ｃにより両側から挟むように保持し、さらにシート状商品見本１５ｂの下端部を商品展示棚３１の前部に設けられた立体見本保持部３３の商品保持板３３ａの裏面に沿って、その下方の底面前部に設けられた案内溝部（シート下部支持部）３３ｃに挿入する。このようにして、シート状商品見本１５ｂを、その上部と下部を支持して商品見本展示装置３０に展示する。また、この場合、シート状商品見本１５ｂの表面を、立体商品見本１５ａの前面と略同一位置に展示することができる。
【００２１】
また、立体商品見本１５ａを展示する場合は、図５（ｂ）に示すように商品展示棚３１に装着されたシート状見本支持具４１を後方に傾けて、その上部を商品展示棚３１の立体見本保持部３３の後方部に位置する退避位置に移動する。このとき、シート状見本支持具４１は、立体商品見本１５ａの展示スペースから外れた退避位置にストッパ４５ｂにより保持される。そして立体商品見本１５ａの底部を商品展示棚３１の前部に凹状に設けられた立体見本保持部３３に挿入する。このようにして、立体商品見本１５ａを、その底部を支持して商品見本展示装置３０に展示する。
【００２２】
以上のように本発明の実施形態の商品見本展示装置３０によれば、シート状見本保持具４１を商品展示棚３１から取り外すことなく、シート状商品見本１５ｂと立体商品見本１５ａとを、それらの前面部を揃えて容易に展示することができるから、その取り扱いが簡単で、見栄え良く商品見本１５を展示することができる商品展示装置３０を提供することができる。
【００２３】
また、シート状見本保持具４１は、シート状商品見本１５ｂ毎に個々に独立して設けられ、商品展示棚３１上に立体商品見本１５ａとシート状商品見本１５ｂを自在に混在させて展示することができるから、商品展示装置３０の使い勝手を良くすることができる。
【００２４】
また、シート状商品見本１５ｂをシート状見本支持具４１の保持爪部４３ａ、４３ｂ、４３ｃと、商品展示棚３１の立体商品保持部３３に形成される案内溝部３３ｃとで挟むようにして上下の２箇所で簡素に保持して展示し、また、シート状見本保持具４１の構造をシート状商品見本１５ｂの上部を支持するだけの簡単な構成にすることができるから、その取り扱いを簡単にして、商品見本１５を見栄え良く展示し、コストの安い商品見本展示装置３０を提供することができる。
【００２５】
なお、本発明の実施の形態においては、シート状見本支持具４１を、その装着片部４５に備えられた装着軸部４５ａにより前後方向に回動可能に商品展示棚３１に装着し、その上部を突出位置と退避位置との移動可能としたが、例えばシート状見本支持具を商品展示棚に固着し、シート状見本支持具の本体部にその上部が突出位置と退避位置に移動可能にヒンジ部を配置する構造としてももちろん良い。本発明は、言うまでもなく本実施の形態の示す装置のみに限定されず、本発明の趣旨の包含する範囲で応用変更が可能である。
【図面の簡単な説明】
【００２６】
【図１】本発明の実施形態に係る商品見本展示装置を有する自動販売機を示す正面図である。
【図２】本発明の実施形態に係る商品見本展示装置を有する自動販売機において前扉およびその背面の中扉を開いた状態を示す内部構造斜視図である。
【図３】本発明の実施形態に係る自動販売機の商品展示装置を示す斜視図である。
【図４】本発明の実施形態に係る自動販売機の商品展示装置を構成するシート状見本支持具を示す外観斜視図である。
【図５】（ａ）は、本発明の実施形態に係る自動販売機の商品展示装置において、シート状商品見本を展示する場合を示す側断面図、（ｂ）は、同商品展示装置において、立体商品見本を展示する場合を示す側断面図である。
【図６】従来の実施形態に係る自動販売機の商品展示装置であって、シート状商品見本の装着用アダプタを商品展示棚に装着する形態を示す斜視図である。
【図７】従来の実施形態に係る自動販売機の商品展示装置であって、商品選択操作部の背面部材に、シート状商品見本を保持する保持部を設けた形態を示す側断面図である。
【符号の説明】
【００２７】
１  本体
２  前扉
３  中扉
７  展示窓
１５ａ  立体商品見本
１５ｂ  シート状商品見本
２５  ディスプレイパネル
３０  商品見本展示装置
３１  商品展示棚
３３  立体見本保持部（立体見本載置部）
３３ｃ  案内溝部（シート下部支持部）
３５  シート見本支持具装着部（保持具装着部）
４１  シート状見本支持具（シート状見本保持具）
４３ａ  保持爪部（シート上部保持部）
４３ｂ  保持爪部（シート上部保持部）
４３ｃ  保持爪部（シート上部保持部）
【図１】
2007213244.tif 000003
【図２】
2007213244.tif 000004
【図３】
2007213244.tif 000005
【図４】
2007213244.tif 000006
【図５】
2007213244.tif 000007
【図６】
2007213244.tif 000008
【図７】
2007213244.tif 000009